(57)【特許請求の範囲】
【請求項１】
軸筒と、該軸筒から先端部を突出させた鉛芯繰出し管とを備え、前記鉛芯繰出し管内の鉛芯を、チャックにより回転不能に挟持して前記先端部から繰出すようにしたシャープペンシルにおいて、
前記軸筒に設けた環状突部を、前記鉛芯繰出し管の前側管部に設けた環状溝に遊嵌させることで、前記鉛芯繰出し管を、前記遊嵌箇所よりも前部側が鉛芯方向と交差する方向へ揺動するのに伴い同遊嵌箇所よりも後部側が逆方向へ揺動するように支持し、
前記鉛芯繰出し管における前記遊嵌箇所よりも後部側の外周に、前記前側管部に対し回転可能に第一の回転カム部を設けるとともに、前記軸筒の内周には、前記軸筒に対し回転不能な第一の固定カム部を設け、
前記チャックを前記第一の回転カムに一体回転可能に固定し、
前記鉛芯繰出し管と共に軸筒遠心方向へ揺動した際の前記第一の回転カム部を前記第一の固定カム部に摺接させて、前記第一の回転カム部を一方向へ回転させ、この第一の回転カム部の回転により前記チャックを回転させるようにしたことを特徴とするシャープペンシル。
【請求項２】
前記第一の回転カム部は、周方向へわたって所定ピッチ置きに配置された複数の摺接突起を有し、
前記第一の固定カム部は、周方向へわたって所定ピッチ置きに配置された複数の凹部を有するとともに、その各凹部内にカム斜面を有し、
前記鉛芯繰出し管と共に前記第一の回転カム部が軸筒遠心方向へ揺動した際に、前記第一の回転カム部の摺接突起が前記第一の固定カム部のカム斜面に摺接して、前記第一の回転カム部を前記一方向へ回転させることを特徴とする請求項１記載のシャープペンシル。
【請求項３】
前記鉛芯繰出し管を軸筒求心方向へ付勢する付勢手段を設けたことを特徴とする請求項１又は２記載のシャープペンシル。
【請求項４】
前記付勢手段は、前記鉛芯繰出し管と前記軸筒との間に設けられた環状弾性体であることを特徴とする請求項３記載のシャープペンシル。
【請求項５】
前記鉛芯繰出し管における前記第一の回転カム部よりも後方側の外周に、前記第一の回転カム部と一体的に第二の回転カム部を設けるとともに、前記軸筒の内周には、前記第一の固定カム部よりも後方側に前記第一の固定カム部と一体的に第二の固定カム部を設け、
前記鉛芯繰出し管が前記付勢手段の付勢力によって軸筒求心方向へ揺動した際に、前記鉛芯繰出し管と共に軸筒求心方向へ揺動した際の前記第二の回転カム部を前記第二の固定カム部に摺接させて、前記第二の回転カム部を前記一方向へ回転させ、この第二の回転カム部の回転により前記チャックを回転させるようにしたことを特徴とする請求項３又は４記載のシャープペンシル。
【請求項６】
前記第二の回転カム部は、周方向へわたって所定ピッチ置きに配置された複数の摺接突起を有し、この摺接突起は、前記鉛芯繰出し管の揺動に伴い軸筒径方向へ弾性変形することで、第二の固定カム部に対して常時接触するように設けられ、
前記第二の固定カム部は、周方向へわたって所定ピッチ置きに配置された複数の凹部を有するとともに、その各凹部内にカム斜面を有し、
前記第一の回転カム部の摺接突起が前記第一の固定カム部の凹部に係止された状態において、前記第二の回転カム部の摺接突起が前記第二の固定カム部のカム斜面の途中に位置するようにし、該位置にて、前記鉛芯繰出し管と共に前記第二の回転カム部が軸筒求心方向へ揺動した際に、前記第二の回転カム部の摺接突起が前記第二の固定カム部のカム斜面に摺接して、前記第二の回転カム部を前記一方向へ回転させ、この第二の回転カム部の回転により前記チャックを回転させるようにしたことを特徴とする請求項５記載のシャープペンシル。
【請求項７】
前記鉛芯繰出し管は、前記前側管部の後側に回転可能に接続された後側管部を備え、前記後側管部は、前記第一の回転カム部、前記第二の回転カム部及び前記チャックを一体的に有することを特徴とする請求項５又は６記載のシャープペンシル。
【発明の詳細な説明】
【技術分野】
【０００１】
本発明は、筆圧により鉛芯を回転させるようにしたシャープペンシルに関するものである。
【背景技術】
【０００２】
シャープペンシルで筆記を行う場合、書き進むにしたがって鉛芯の前端部が偏減りし、描線の太さや濃さが一定しないという不具合があった。そのため、筆記者が軸筒をときどき持ち直して回転させるという操作を行うが、その操作が煩わしく、筆記能率を低下させているのが現状であった。そこで、例えば、特許文献１に記載されたシャープペンシルでは、筆記時に鉛芯に加わる筆圧の軸方向成分によって軸筒内の回転子を回転させ、該回転子内のチャックユニットに把持されている鉛芯を回転させるようにしている。
【０００３】
しかしながら、特許文献１に示す従来技術によれば、鉛芯を回転させるためには、筆圧によって鉛芯及び前記回転子を軸方向へ微動させなければならいため、筆記の際、筆記者が鉛芯に軸方向のガタつきを感じることになる。
より詳細に説明すれば、筆記者が軸筒を把持して鉛芯を筆記面に当接させると、その筆記面に当接した状態の鉛芯に相対して、軸筒が若干前方へ移動することになる。また、鉛芯を筆記面から離す場合には、鉛芯が筆記面に当接した状態のまま、軸筒が若干後方へ移動した後に、鉛芯が筆記面から離れることになる。したがって、筆記者が軸方向のガタつきを感じることになり、この軸方向のガタツキが筆記感触を低下させる要因となっていた。
【先行技術文献】
【特許文献】
【０００４】
【特許文献１】国際公開第２００７／１４２１３５号パンフレット
【発明の概要】
【発明が解決しようとする課題】
【０００５】
本発明は、このような問題に対処することを課題の一例とするものである。すなわち、筆圧によって鉛芯を回転させるようにしたシャープペンシルにおいて、鉛芯が軸方向へガタつかないようにすること、筆記感触を向上すること、等が本発明の目的である。
【課題を解決するための手段】
【０００６】
このような目的を達成するために、本発明に係る技術的手段は、以下の構成を少なくとも具備するものである。
【０００７】
軸筒と、該軸筒から先端部を突出させた鉛芯繰出し管とを備え、前記鉛芯繰出し管内の鉛芯を、チャックにより回転不能に挟持して前記先端部から繰出すようにしたシャープペンシルにおいて、前記鉛芯繰出し管を、その先端側が鉛芯方向と交差する方向へ揺動するように前記軸筒に支持し、前記鉛芯繰出し管の前記揺動を、鉛芯を中心とする回転方向の運動に変換し、その回転運動によって前記チャックを一方向へ回転させるようにしたことを特徴とする。
【発明の効果】
【０００８】
このような特徴を有することで本発明は以下の作用効果を奏する。
筆記面に対し軸筒を傾けた通常の筆記姿勢において、鉛芯が筆記面に押し付けられると、鉛芯を保持する鉛芯繰出し管の先端側が鉛芯方向と交差する方向へ揺動する。そして、その揺動が回転方向の運動に変換され、その回転運動によって鉛芯を挟持したチャックが一方向へ回転する。
よって、鉛芯を軸方向へガタつかせることなく回転させることができ、ひいては筆記感触を向上することができる。
【図面の簡単な説明】
【０００９】
【図１】本発明に係るシャープペンシルの一例を示す要部断面図である。
【図２】同シャープペンシルの使用状態図であり、（ａ）は鉛芯の先端が被筆記面に当接する前の状態を示し、（ｂ）は鉛芯の先端を被筆記面に当接させた状態を示す。
【図３】図１における(I)-(I)断面図及び(II)-(II)断面図であり、(a)-I及び(a)-IIは、鉛芯繰出し管が軸筒中心側の初期位置に位置した状態を示し、(b)-I及び(b)-IIは、鉛芯繰出し管が軸筒遠心方向へ揺動して回転した状態を示し、(c)-I及び(c)-IIは、鉛芯繰出し管が軸筒求心方向へ揺動して回転した状態を示す。
【図４】図３の要部拡大図であり、(a)-I及び(a)-IIは、鉛芯繰出し管が軸筒中心側の初期位置に位置した状態を示し、(b)-I及び(b)-IIは、鉛芯繰出し管が軸筒遠心方向へ揺動して回転した状態を示す。
【発明を実施するための形態】
【００１０】
本発明に係る好ましい形態では、軸筒と、該軸筒から先端部を突出させた鉛芯繰出し管とを備え、前記鉛芯繰出し管内の鉛芯を、チャックにより回転不能に挟持して前記先端部から繰出すようにしたシャープペンシルにおいて、前記鉛芯繰出し管を、その先端側が鉛芯方向と交差する方向へ揺動するように前記軸筒に支持し、前記鉛芯繰出し管の前記揺動を、鉛芯を中心とする回転方向の運動に変換し、その回転運動によって前記チャックを一方向へ回転させるようにした。
【００１１】
更に好ましい形態では、前記鉛芯繰出し管を、前記軸筒に対する支持箇所よりも前部側が鉛芯方向と交差する方向へ揺動するのに伴い同支持箇所よりも後部側が逆方向へ揺動するように設け、前記鉛芯繰出し管における前記支持箇所よりも後部側の外周に、回転可能に第一の回転カム部を設けるとともに、前記軸筒の内周には、回転不能な第一の固定カム部を設け、前記鉛芯繰出し管と共に軸筒遠心方向へ揺動した際の前記第一の回転カム部を前記第一の固定カム部に摺接させて、前記第一の回転カム部を前記一方向へ回転させ、この第一の回転カム部の回転により前記チャックを回転させるようにした。
【００１２】
更に好ましい形態では、前記第一の回転カム部は、周方向へわたって所定ピッチ置きに配置された複数の摺接突起を有し、前記第一の固定カム部は、周方向へわたって所定ピッチ置きに配置された複数の凹部を有するとともに、その各凹部内にカム斜面を有し、前記鉛芯繰出し管と共に前記第一の回転カム部が軸筒遠心方向へ揺動した際に、前記第一の回転カム部の摺接突起が前記第一の固定カム部のカム斜面に摺接して、前記第一の回転カム部を前記一方向へ回転させるようにした。
【００１３】
更に好ましい形態では、前記鉛芯繰出し管を軸筒求心方向へ付勢する付勢手段を設けた。
【００１４】
更に好ましい形態では、前記付勢手段は、前記鉛芯繰出し管と前記軸筒との間に設けられた環状弾性体とした。
【００１５】
更に好ましい形態では、前記鉛芯繰出し管が前記付勢手段の付勢力によって軸筒求心方向へ揺動した際に、その揺動力によって前記チャックを前記一方向へ回転させるようにした。
【００１６】
更に好ましい形態では、前記鉛芯繰出し管における前記支持箇所よりも後部側の外周に、回転可能に第二の回転カム部を設けるとともに、前記軸筒の内周には、回転不能な第二の固定カム部を設け、前記鉛芯繰出し管と共に軸筒求心方向へ揺動した際の前記第二の回転カム部を前記第二の固定カム部に摺接させて、前記第二の回転カム部を前記一方向へ回転させ、この第二の回転カム部の回転により前記チャックを回転させるようにした。
【００１７】
更に好ましい形態では、前記第二の回転カム部は、周方向へわたって所定ピッチ置きに配置された複数の摺接突起を有し、この摺接突起は、前記鉛芯繰出し管の揺動に伴い軸筒径方向へ弾性変形することで、第二の固定カム部に対して常時接触するように設けられ、前記第二の固定カム部は、周方向へわたって所定ピッチ置きに配置された複数の凹部を有するとともに、その各凹部内にカム斜面を有し、前記鉛芯繰出し管と共に前記第二の回転カム部が軸筒求心方向へ揺動した際に、前記第二の回転カム部の摺接突起が前記第二の固定カム部のカム斜面に摺接して、前記第二の回転カム部を前記一方向へ回転させ、この第二の回転カム部の回転により前記チャックを回転させるようにした。
【００１８】
更に好ましい形態では、前記第一の回転カム部の摺接突起が前記第一の固定カム部の凹部に係止された状態において、前記第二の回転カム部の摺接突起が前記第二の固定カム部のカム斜面の途中に位置するようにした。
【００１９】
更に好ましい形態では、前記鉛芯繰出し管は、前記軸筒に対し揺動可能に支持された前側管部と、該前側管部の後側に回転可能に接続された後側管部とを備え、前記後側管部は、前記第一の回転カム部、前記第二の回転カム部及び前記チャックを一体的に有する。
【００２０】
以下、本発明の実施の形態を図面に基づいて説明する。
なお、本実施の形態において「前」とは、軸筒１０の先端方向（図１によれば下方）を意味し、「後」とは前記「前」に対する逆方向を意味する。
また、本実施の形態において「鉛芯方向」とは、チャック２４ｃに挟持された鉛芯２の長手方向（図１によれば上下方向）を意味する。
【００２１】
このシャープペンシル１は、軸筒１０と、該軸筒１０から先端部２０ａを突出させた鉛芯繰出し管２０と、該鉛芯繰出し管２０を軸筒求心方向へ付勢する環状弾性体３０（付勢手段）とを備え、鉛芯繰出し管２０の揺動を、鉛芯２を中心とする回転方向の運動に変換し、その回転運動によって、鉛芯繰出し管２０内で鉛芯２を挟持するチャック２４ｃを、一方向へ回転させる。
【００２２】
軸筒１０は、長尺筒状の本体部１１と、該本体部１１の前端側に螺合接続される先細筒状の先口部１２とからなる。なお、この軸筒１０は、本体部１１と先口部１２とを一体とした態様や、前軸と後軸等の三以上の部材を組み合わせた態様としてもよい。
【００２３】
本体部１１の内周面には、第一の固定カム部１１ａ及び第二の固定カム部１１ｂが一体的に設けられる。
【００２４】
第一の固定カム部１１ａは、周方向へわたって所定ピッチ置きに配置された複数の凹部１１ａ１を有する断面鋸刃状に形成される（図４参照）。
各凹部１１ａ１は、鉛芯繰出し管２０の回転方向（図示例によれば反時計方向）へ向かって下り勾配となるカム斜面１１ａ１１と、該カム斜面１１ａ１１に交差する軸筒径方向の面である係止面１１ａ１２とからなる。
この第一の固定カム部１１ａの軸筒軸方向の幅は、後側管部２４の進退に伴う第一の回転カム部２４ａの軸筒軸方向の移動を許容するように適宜に設定される。
【００２５】
第二の固定カム部１１ｂは、周方向へわたって所定ピッチ置きに配置された複数の凹部１１ｂ１を有する断面山歯状に形成される（図４参照）。
各凹部１１ｂ１は、鉛芯繰出し管２０の回転方向（図示例によれば反時計方向）へ向かって下り勾配となるカム斜面１１ｂ１１と、該カム斜面１１ｂ１１に対し略Ｖ字状に交差する係止面１１ｂ１２とからなる。
この第二の固定カム部１１ｂの軸筒軸方向の幅は、後側管部２４の進退に伴う第二の回転カム部２４ｂの軸筒軸方向の移動を許容するように適宜に設定される。
【００２６】
また、先口部１２の最前端部には、軸筒１０の求心方向へ向かって内向きに突出する環状突部１２ａを有する（図１参照）。この環状突部１２ａは、後述する鉛芯繰出し管２０に対し遊嵌されることで、鉛芯繰出し管２０を、その先端側が鉛芯方向と略直交する方向へ揺動するように支持している。
【００２７】
また、鉛芯繰出し管２０は、内在するチャック機構によって鉛芯２を回転不能に挟持して先端部２０ａから繰出すように構成され、軸筒１０に対する支持箇所Ａよりも前部側が鉛芯方向と略直交する方向へ揺動するのに伴い同支持箇所Ａよりも後部側が逆方向へ揺動するように、軸筒１０最前端部の環状突部１２ａによって支持されている。
この鉛芯繰出し管２０は、先端部２０ａを軸筒１０から突出させて軸筒１０に対し揺動可能に支持された前側管部２１と、該前側管部２１の後側に一体に接続された中間管部２２と、該中間管部２２の更に後側に付勢部材２３を介して進退可能且つ回転可能に接続された後側管部２４と、該後側管部２４の後側に接続された芯タンク２５とを具備した長尺管状に形成される。
【００２８】
前側管部２１は、前端側に先細状の先端部２０ａを有する管状部材であり、先端部２０ａよりも後側の外周面に、先口部１２前端の環状突部１２ａに対し遊嵌する環状溝２１ｃを有する。
環状溝２１ｃと前記環状突部１２ａとの間には、軸筒１０に対し鉛芯繰出し管２０が揺動可能となるように、適宜な隙間が確保される。
この前側管部２１内の前部側には、鉛芯２を後退不能に保持する弾性体からなる芯ブレーカ２１ｂが設けられる。また、前側管部２１内の後部側には、チャック２４ｃの周囲で所定量進退するようにクラッチリング２４ｄが設けられる。
【００２９】
中間管部２２は、前側管部２１の後端部に接続固定され後方へ延設された管状部材であり、後述する環状弾性体３０に挿通されている。
【００３０】
後側管部２４は、その前部側の縮径部２４ｅを中間管部２２の後端側内部に挿入した段付管状の部材であり、中間管部２２に対し、所定量進退可能であって、且つ鉛芯２を中心とした回転方向へ回転可能となるように係合している。
この後側管部２４の前端側には、鉛芯２を挟持するチャック２４ｃが設けられる。そして、この後側管部２４の後端側内周面には、芯タンク２５が接続される。また、後側管部２４の後端側外周面には、第一の回転カム部２４ａ及び第二の回転カム部２４ｂが一体的に設けられる。
【００３１】
また、チャック２４ｃは、弾性を有する合成樹脂材料又は金属材料から形成され、鉛芯２の周囲に位置するように同芯状に配置された複数（例えば２又は３）の爪部２４ｃ１を備え、該爪部２４ｃ１を縮径させた際に鉛芯２を挟持し、同爪部２４ｃ１を拡径した際には鉛芯２を解放する。
このチャック２４ｃは、その基端側部分（図１によれば上端側部分）が、後側管部２４の前端側内周面に固定されている。
【００３２】
また、第一の回転カム部２４ａは、鉛芯繰出し管２０と共に軸筒遠心方向（換言すれば、軸筒１０中心から離れる方向）へ揺動した際に、軸筒１０内周面の第一の固定カム部１１ａに摺接して、一方向へ回転するように設けられる。
この第一の回転カム部２４ａは、周方向へわたって所定ピッチ置きに配置された複数の摺接突起２４ａ１からなる。各摺接突起２４ａ１は、第一の固定カム部１１ａの凹部１１ａ１にならう鋸刃状の突起である（図３及び図４参照）。
【００３３】
第二の回転カム部２４ｂは、第一の回転カム部２４ａの後方側に位置し、周方向へわたって所定ピッチ置きに配置された複数（図示例によれば三つ）の摺接突起２４ｂ１を有する（図３参照）。
各摺接突起２４ｂ１は、第二の固定カム部１１ｂに摺接する突起部２４ｂ１１と、該突起部２４ｂ１１を軸筒径方向へ弾性的に進退させる弾性変形部２４ｂ１２とから構成される（図４(a)-II参照）。
突起部２４ｂ１１は、第二の固定カム部１１ｂの凹部１１ｂ１にならう山形に形成される。また、弾性変形部２４ｂ１２は、弾性変形可能なＵ字状に形成される。
この摺接突起２４ｂ１は、鉛芯繰出し管２０の揺動に伴い弾性変形部２４ｂ１２を軸筒径方向へ弾性変形させて、突起部２４ｂ１１と第二の固定カム部１１ｂとの接触状態を常時維持する。
【００３４】
第一の回転カム部及び固定カム２４ａ，１１ａと、第二の回転カム部及び固定カム２４ｂ，１１ｂの位置関係について説明すれば、第一の回転カム部２４ａの摺接突起２４ａ１が第一の固定カム部１１ａの凹部１１ａ１に嵌り合って係止された状態において（図４(b)-I参照）、第二の回転カム部２４ｂの摺接突起２４ｂ１の突起部２４ｂ１１が第二の固定カム部１１ｂのカム斜面１１ｂ１１の途中に位置する（図４(b)-II参照）ように配置される。
【００３５】
また、付勢部材２３は、圧縮スプリングであり、後側管部２４前側の縮径部２４ｅに環状に装着され、縮径部２４ｅ後端の段部２４ｅ１と中間管部２２の後端面との間で伸縮する。
この付勢部材２３は、後側管部２４を中間管部２２に対し後方へ付勢することで、前進後の後側管部２４を行進させる作用を奏する。更に、この付勢部材２３は、後側管部２４の回転抵抗（摩擦抵抗）を軽減して、後側管部２４を前側管部２１及び中間管部２２に対し回転し易くする作用も奏する。
【００３６】
なお、上記構成において、前側管部２１及び中間管部２２は、軸筒１０に対し回転可能にしてもよいし回転不能にしてもよいが、特に第一の回転カム部２４ａ及び第二の回転カム部２４ｂの回転抵抗を軽減する観点からは、前者の態様とするのが好ましい。この場合、前側管部２１の環状溝２１ｃを軸筒１０前端の環状突部１２ａに摺接させるとともに、中間管部２２の外周面を環状弾性体３０内周面に摺接させて、前側管部２１及び中間管部２２が軸筒１０に対し回転する構成とすればよい。
【００３７】
また、前記鉛芯繰出し管２０の内部には、チャック２４ｃの進退運動によって鉛芯２を繰出す周知の鉛芯繰出機構が構成される。
この鉛芯繰出機構について詳述すれば、後方からの押圧力により後側管部２４及び芯タンク２５が付勢部材２３の付勢力に抗して前進すると、後側管部２４前端のチャック２４ｃが鉛芯２を挟持した状態で前進する。このチャック２４ｃの前進に伴い、チャック２４ｃ外周に嵌められたクラッチリング２４ｄも前進する。この前進により、クラッチリング２４ｄが前側管部２１内の段部２１ａに当接すると、チャック２４ｃは、クラッチリング２４ｄから前方へ抜けて開放され、弾性的に拡径し、挟持していた鉛芯２を解放する。鉛芯２は、チャック２４ｃと共に前進した位置において、前側管部２１内の芯ブレーカ２１ｂによって後退不能に挟持される。
次に、前記後方からの押圧力が解除されると、後側管部２４及び芯タンク２５は付勢部材２３の付勢力により後退し、その後退に伴ってチャック２４ｃも後退する。そのため、チャック２４ｃは、クラッチリング２４ｄに嵌まり合うことで縮径し、後退した位置において鉛芯２を再度挟持することになる。
よって、後側管部２４、チャック２４ｃ及び芯タンク２５の進退運動の繰り返しにより、チャック２４ｃの前端側から鉛芯２が繰り出され、更に、この鉛芯２は鉛芯繰出し管２０の先端部２０ａから前方へ繰り出されることになる。
【００３８】
なお、後側管部２４、チャック２４ｃ及び芯タンク２５を進退させる構造は、例えば、軸筒１０から後方へ突出するノック部（図示せず）のノック操作により後側管部２４、チャック２４ｃ及び芯タンク２５を進退させる態様や、軸筒１０側面のボタン（図示せず）に対するノック操作によって後側管部２４、チャック２４ｃ及び芯タンク２５を進退させる態様、軸筒１０全体を振る操作によって錘体（図示せず）を往復動させその錘体の往復動によって後側管部２４、チャック２４ｃ及び芯タンク２５を進退させる態様等、とすることが可能である。
【００３９】
また、環状弾性体３０（付勢手段）は、鉛芯繰出し管２０の外周面と軸筒１０の内周面との間に設けられた環状の弾性体である。この環状弾性体３０の材質は、例えば、ゴムや、エラストマー樹脂、スポンジ等とすればよい。
この環状弾性体３０の弾発力は、本実施の形態の一例によれば、軸筒１０を傾けた通常の筆記姿勢において、鉛芯繰出し管２０の先端部２０ａから突出する鉛芯２に筆圧が加えられた際に（図２（ｂ）参照）、該環状弾性体３０が弾性変形して、鉛芯繰出し管２０が支持箇所Ａを支点にして揺動する程度に、適宜に設定される。
【００４０】
次に、上記構成のシャープペンシル１について、その特徴的な作用効果を詳細に説明する。
先ず、図１及び図２（ａ）に示すように、鉛芯繰出し管２０の先端部２０ａから突出する鉛芯２に筆圧がかかっていない初期状態では、鉛芯繰出し管２０が環状弾性体３０の付勢力によって軸筒１０の略中心線上に保持される。
この初期状態において、第一の回転カム部２４ａは、図３(a)-Iに示すように、軸筒１０の略中心線上に位置し、第一の固定カム部１１ａに接触しない状態に保持される。
また、同初期状態において、第二の回転カム部２４ｂは、図3(a)-IIに示すように、軸筒１０の略中心線上に位置し、複数（図示例によれば三つ）の摺接突起２４ｂ１をそれぞれ略同程度の付勢力で第二の固定カム部１１ｂに押し付けるとともに、図４(a)-IIに示すように、各摺接突起２４ｂ１の突起部２４ｂ１１を第二の固定カム部１１ｂの凹部１１ｂ１に嵌め合わせて係止される。
【００４１】
次に、図２（ｂ）に示すように、軸筒１０を傾けた通常の筆記姿勢において、鉛芯２の先端が被筆記面３に押し付けられると、鉛芯繰出し管２０における軸筒１０に対する支持箇所Ａよりも後側の部分が、軸筒１０に相対して、軸筒遠心方向（図２によれば右斜め下方）へ揺動し傾斜する。
この際、第一の回転カム部２４ａは、図３(b)-Iに示すように、第一の固定カム部１１ａに摺接して一方向（図示例によれば反時計方向）へ所定角度回転する。より詳細に説明すれば、図４(b)-Iに示すように、第一の回転カム部２４ａは、複数の摺接突起２４ａ１のうち、揺動方向（図３及び４によれば上方）へ突出する一部の摺接突起２４ａ１を、対向する第一の固定カム部１１ａのカム斜面１１ａ１１に摺接させることで、前記一方向へ回転する。この回転は、第一の回転カム部２４ａの前記一部の摺接突起２４ａ１が、第一の固定カム部１１ａの凹部１１ａ１に嵌り合い係止されることで停止する。
したがって、第一の回転カム部２４ａ、後側管部２４及びチャック２４ｃが、一体的に所定角度だけ回転し、チャック２４ｃに挟持された鉛芯２も同様に回転することになる。
一方、前記回転により、第二の回転カム部２４ｂにおける各摺接突起２４ｂ１の突起部２４ｂ１１は、第二の固定カム部１１ｂの係止面１１ｂ１２の頂部を乗り越える。そして、第一の回転カム部２４ａと第一の固定カム部１１ａとの嵌り合いにより前記回転が停止した状態では、各突起部２４ｂ１１は、図４(b)-IIに示すように、第二の固定カム部１１ｂのカム斜面１１ｂ１１の途中に位置して静止する。
【００４２】
また、鉛芯２の先端が被筆記面３から離されると、鉛芯繰出し管２０が環状弾性体３０の付勢力によって軸筒求心方向（換言すれば、軸筒１０中心に近づく方向）へ揺動する。この揺動によって、第一の回転カム部２４ａが第一の固定カム部１１ａから離れる（図３(c)-I参照）。すなわち、第一の回転カム部２４ａと第一の固定カム部１１ａとの嵌り合いによる係止状態が解除される。
すると、第二の回転カム部２４ｂにおける摺接突起２４ｂ１の突起部２４ｂ１１が、弾性変形部２４ｂ１２の弾発力によって第二の固定カム部１１ｂのカム斜面１１ｂ１１に押し付けられて摺動するため、第二の回転カム部２４ｂは、前記一方向（図示例によれば反時計方向）へ回転する。そして、この回転は、摺接突起２４ｂ１が、第二の固定カム部１１ｂの凹部１１ｂ１に嵌り合い係止されることで停止する（図３及び図４の(a)-II参照）。
したがって、第二の回転カム部２４ｂと一体の後側管部２４及びチャック２４ｃが所定角度だけ回転し、チャック２４ｃに挟持された鉛芯２も同様に回転する。
【００４３】
よって、本実施の形態のシャープペンシル１によれば、軸筒１０を傾けた通常の筆記姿勢において、鉛芯繰出し管２０の先端部２０ａから突出する鉛芯２を、被筆記面３に押し付ける動作によって所定角度だけ回転させることができ、更に、同鉛芯２を、被筆記面３から離す動作によっても所定角度だけ回転させることができる。
よって、筆記により鉛芯２の先端部が偏減りし、描線の太さや濃さが一定しないという不具合を解消することができる。
しかも、筆圧の軸交差方向の成分を梃子の原理を利用して伝達し鉛芯２を回転させる構造であるため、鉛芯２が軸方向へガタつくことがなく、鉛芯２の揺動を比較的小さくすることができ、筆記感触が良好である。
【００４４】
なお、鉛芯２を被筆記面３に押し付けた際に、鉛芯２が若干揺動することになるが、この際の揺動量（支持箇所Ａを支点とした円弧上の移動距離）は、鉛芯繰出し管２０における最前端部と支持箇所Ａとの間の距離Ｘ１、及び支持箇所Ａと第一の回転カム部２４ａとの間の距離Ｘ２（図１参照）を適宜に調整することで、必要最小限に抑制することができる。
すなわち、距離Ｘ１に対する距離Ｘ２の比率を大きくすればするほど、第一の回転カム部２４ａ及び第二の回転カム部２４ｂの揺動量を大きく確保することができるが、第一の回転カム部２４ａが第一の固定カム部１１ａに摺接する際の押圧力は小さくなる。
そこで、本実施の形態では、鉛芯２の揺動により筆記感触が損ねることがなく、且つ第一の回転カム部２４ａ及び第二の回転カム部２４ｂをスムーズに回転させることができるように、距離Ｘ１に対する距離Ｘ２の比率を適宜に設定している。
【００４５】
なお、上記実施の形態によれば、第一の回転カム部２４ａの後方側に第二の回転カム部２４ｂを配置したが、他例としては、その前後関係を逆にすることも可能である。
【００４６】
また、上記実施の形態によれば、通常の筆圧が加わることで鉛芯２が回転する構成としたが、他例として、環状弾性体３０の弾発力をより強くすれば、通常の筆圧以上の押圧力が加わることで鉛芯２が回転する構成とすることも可能である。
この構成によれば、筆記者が鉛芯２を回転させたい場合等、必要に応じて、通常の筆圧以上の押圧力が意識的に加えられた場合に、鉛芯２が回転することになる。
【００４７】
また、上記実施の形態によれば、環状弾性体３０を第一の回転カム部２４ａ及び第二の回転カム部２４ｂよりも前側に配置したが、他例としては、環状弾性体３０を第一の回転カム部２４ａ及び第二の回転カム部２４ｂよりも後側、あるいは第一の回転カム部２４ａと第二の回転カム部２４ｂの間に配置することも可能である。
【００４８】
また、環状弾性体３０に代わる付勢手段として、鉛芯繰出し管２０外周面と軸筒１０内周面との間に、板バネ等の他のタイプの弾性体を設けることも可能である。
【００４９】
また、更に他例としては、環状弾性体３０を省き、第二の回転カム部２４ｂの弾性変形部２４ｂ１２の弾発力のみによって鉛芯繰出し管２０を軸筒求心方向へ付勢する態様とすることも可能である。
【００５０】
また、上記実施の形態では、第一の回転カム部２４ａ及び第二の回転カム部２４ｂの回転抵抗を軽減する好ましい態様として、前側管部２１及び中間管部２２に対し後側管部２４が回転する構成としたが、他例としては、前側管部２１、中間管部２２及び後側管部２４が一体的に回転する態様、すなわち鉛芯繰出し管２０全体が軸筒１０に対し回転する態様とすることも可能である。
【００５１】
また、上記実施の形態では、鉛芯２をスムーズに回転させるようにした好ましい一例として、第一の回転カム部２４ａ及び第一の固定カム部１１ａと、第二の回転カム部２４ｂ及び第二の固定カム部１１ｂとの二種類のカムを設けたが、他例としては、第二の回転カム部２４ｂ及び第二の固定カム部１１ｂを省き、第一の回転カム部２４ａ及び第一の固定カム部１１ａのみによって鉛芯２を回転させる構成とすることも可能である。
【００５２】
また、上記実施の形態では、第一の固定カム部１１ａ及び第二の固定カム部１１ｂを軸筒１０と一体に構成したが、他例としては、軸筒１０とは別体の第一の固定カム部１１ａ及び／又は第二の固定カム部１１ｂを、軸筒１０に対し固定した構成としてもよい。
【符号の説明】
【００５３】
１：シャープペンシル                ２：鉛芯
３：被筆記面                        １０：軸筒
１１ａ：第一の固定カム部            １１ａ１：凹部
１１ａ１１：カム斜面                １１ｂ：第二の固定カム部
１１ｂ１：凹部                      １１ｂ１１：カム斜面
２０：鉛芯繰出し管                  ２０ａ：先端部
２４ｃ：チャック                    ２４ａ：第一の回転カム部
２４ａ１：摺接突起                  ２４ｂ：第二の回転カム部
２４ｂ１：摺接突起                  ２４ｂ１１：突起部
２４ｂ１２：弾性変形部              ３０：環状弾性体
【図１】
0005476235.tif 000002
【図２】
0005476235.tif 000003
【図３】
0005476235.tif 000004
【図４】
0005476235.tif 000005